(57)【要約】【課題】受信信号に含まれるデータを適切に取得することが可能な技術を提供する。【解決手段】データ処理部２０は、アンテナ１１０ｂで受信される受信信号に含まれる、第１無線通信方式で送信されるデータを取得する第１処理と、当該受信信号に含まれる、第２無線通信方式で送信されるデータを取得する第２処理と実行する。データ処理部２０は、動作モードとして、第１処理を実行している際に、間欠的に、第１処理の代わりに第２処理を実行する第１動作モードと、第１処理を実行している際に、間欠的に、第１処理の代わりに第２処理を実行し、第２処理が間欠的に実行される周期が第１動作モードよりも長い第２動作モードとを有する。【選択図】図３
2016123037.tif 000002
【特許請求の範囲】
【請求項１】
第１無線通信方式に応じた通信と、第２無線通信方式に応じた通信とを行う無線通信装置であって、
前記第１無線通信方式に応じた受信と、前記第２無線通信方式に応じた受信とで共用される第１アンテナと、
前記第１アンテナで受信される受信信号に含まれる、前記第１無線通信方式で送信されるデータを取得する第１処理と、前記受信信号に含まれる、前記第２無線通信方式で送信されるデータを取得する第２処理と実行するデータ処理部と
を備え、
前記データ処理部は、前記無線通信装置が前記第２無線通信方式の圏内に存在するときの動作モード、あるいは前記無線通信装置が前記第２無線通信方式の圏外に存在するときの動作モードとして、
前記第１処理を実行している際に、間欠的に、前記第１処理の代わりに前記第２処理を実行する第１動作モードと、
前記第１処理を実行している際に、間欠的に、前記第１処理の代わりに前記第２処理を実行し、前記第２処理が間欠的に実行される周期が前記第１動作モードよりも長い第２動作モードと
を有する、無線通信装置。
【請求項２】
請求項１に記載の無線通信装置であって、
前記データ処理部は、前記受信信号に含まれる、前記第１無線通信方式で送信される所定の種類のデータを取得する際には、前記第２動作モードで動作する、無線通信装置。
【請求項３】
請求項１に記載の無線通信装置であって、
前記データ処理部は、ユーザによって選択される前記動作モードで動作する、無線通信装置。
【請求項４】
請求項３に記載の無線通信装置であって、
ユーザが前記動作モードを選択するための選択画面を表示する表示部をさらに備える、無線通信装置。
【請求項５】
請求項４に記載の無線通信装置であって、
前記表示部は、前記データ処理部が、前記受信信号に含まれる、前記第１無線通信方式で送信される所定の種類のデータを取得する際に、前記選択画面を表示する、無線通信装置。
【請求項６】
請求項２及び請求項５のいずれか一つに記載の無線通信装置であって、
前記所定の種類のデータには、再送制御されないデータが含まれる、無線通信装置。
【請求項７】
請求項２、請求項５及び請求項６のいずれか一つに記載の無線通信装置であって、
前記所定の種類のデータには、データ量がしきい値以上あるいはしきい値よりも大きいデータが含まれる、無線通信装置。
【請求項８】
請求項２、請求項５乃至請求項７のいずれか一つに記載の無線通信装置であって、
前記所定の種類のデータは、ユーザによって指定される、無線通信装置。
【請求項９】
請求項１乃至請求項８のいずれか一つに記載の無線通信装置であって、
第２アンテナをさらに備え、
前記データ処理部は、前記第１及び第２動作モードで動作する際には、前記第２アンテナで受信される受信信号に含まれる、前記第１無線通信方式で送信されるデータを取得する処理を行い、前記第２アンテナで受信される受信信号に含まれる、前記第２無線通信方式で送信されるデータを取得する処理を行わない、無線通信装置。
【請求項１０】
第１無線通信方式に応じた通信と、第２無線通信方式に応じた通信とを行い、前記第１無線通信方式に応じた受信と、前記第２無線通信方式に応じた受信とで共用されるアンテナを備える無線通信装置が前記第２無線通信方式の圏内に存在するとき、あるいは前記第２無線通信方式の圏外に存在するときの当該無線通信装置の動作方法であって、
前記アンテナで受信される受信信号に含まれる、前記第１無線通信方式で送信されるデータを取得する第１処理を実行している際に、間欠的に、前記第１処理の代わりに、前記受信信号に含まれる、前記第２無線通信方式で送信されるデータを取得する第２処理を実行する第１工程と、
前記第１処理を実行している際に、間欠的に、前記第１処理の代わりに前記第２処理を実行し、前記第２処理が間欠的に実行される周期が前記第１工程よりも長い第２工程と
を備える、無線通信装置の動作方法。
【発明の詳細な説明】
【技術分野】
【０００１】
本発明は、無線通信技術に関する。
【背景技術】
【０００２】
特許文献１に記載されているように、従来から無線通信に関して様々な技術が提案されている。
【先行技術文献】
【特許文献】
【０００３】
【特許文献１】特開２００４−１８７００２号公報
【発明の概要】
【発明が解決しようとする課題】
【０００４】
無線通信装置では、受信信号に含まれるデータを適切に取得することが望まれる。
【０００５】
そこで、本発明は上述の点に鑑みて成されたものであり、受信信号に含まれるデータを適切に取得することが可能な技術を提供することを目的とする。
【課題を解決するための手段】
【０００６】
本発明に係る無線通信装置の一態様は、第１無線通信方式に応じた通信と、第２無線通信方式に応じた通信とを行う無線通信装置であって、前記第１無線通信方式に応じた受信と、前記第２無線通信方式に応じた受信とで共用される第１アンテナと、前記第１アンテナで受信される受信信号に含まれる、前記第１無線通信方式で送信されるデータを取得する第１処理と、前記受信信号に含まれる、前記第２無線通信方式で送信されるデータを取得する第２処理と実行するデータ処理部とを備え、前記データ処理部は、前記無線通信装置が前記第２無線通信方式の圏内に存在するときの動作モード、あるいは前記無線通信装置が前記第２無線通信方式の圏外に存在するときの動作モードとして、前記第１処理を実行している際に、間欠的に、前記第１処理の代わりに前記第２処理を実行する第１動作モードと、前記第１処理を実行している際に、間欠的に、前記第１処理の代わりに前記第２処理を実行し、前記第２処理が間欠的に実行される周期が前記第１動作モードよりも長い第２動作モードとを有する。
【０００７】
また、本発明に係る無線通信装置の一態様では、前記データ処理部は、前記受信信号に含まれる、前記第１無線通信方式で送信される所定の種類のデータを取得する際には、前記第２動作モードで動作する。
【０００８】
また、本発明に係る無線通信装置の一態様では、前記データ処理部は、ユーザによって選択される前記動作モードで動作する。
【０００９】
また、本発明に係る無線通信装置の一態様では、ユーザが前記動作モードを選択するための選択画面を表示する表示部をさらに備える。
【００１０】
また、本発明に係る無線通信装置の一態様では、前記表示部は、前記データ処理部が、前記受信信号に含まれる、前記第１無線通信方式で送信される所定の種類のデータを取得する際に、前記選択画面を表示する。
【００１１】
また、本発明に係る無線通信装置の一態様では、前記所定の種類のデータには、再送制御されないデータが含まれる。
【００１２】
また、本発明に係る無線通信装置の一態様では、前記所定の種類のデータには、データ量がしきい値以上あるいはしきい値よりも大きいデータが含まれる。
【００１３】
また、本発明に係る無線通信装置の一態様では、前記所定の種類のデータは、ユーザによって指定される。
【００１４】
また、本発明に係る無線通信装置の一態様では、第２アンテナをさらに備え、前記データ処理部は、前記第１及び第２動作モードで動作する際には、前記第２アンテナで受信される受信信号に含まれる、前記第１無線通信方式で送信されるデータを取得する処理を行い、前記第２アンテナで受信される受信信号に含まれる、前記第２無線通信方式で送信されるデータを取得する処理を行わない。
【００１５】
また、本発明に係る無線通信装置の動作方法の一態様は、第１無線通信方式に応じた通信と、第２無線通信方式に応じた通信とを行い、前記第１無線通信方式に応じた受信と、前記第２無線通信方式に応じた受信とで共用されるアンテナを備える無線通信装置が前記第２無線通信方式の圏内に存在するとき、あるいは前記第２無線通信方式の圏外に存在するときの当該無線通信装置の動作方法であって、前記アンテナで受信される受信信号に含まれる、前記第１無線通信方式で送信されるデータを取得する第１処理を実行している際に、間欠的に、前記第１処理の代わりに、前記受信信号に含まれる、前記第２無線通信方式で送信されるデータを取得する第２処理を実行する第１工程と、前記第１処理を実行している際に、間欠的に、前記第１処理の代わりに前記第２処理を実行し、前記第２処理が間欠的に実行される周期が前記第１工程よりも長い第２工程とを備える。
【発明の効果】
【００１６】
本発明の一態様によれば、受信信号に含まれる、第１無線通信方式で送信されるデータを適切に取得することができる。
【図面の簡単な説明】
【００１７】
【図１】無線通信システムの構成を示す図である。
【図２】無線通信装置の構成を示す図である。
【図３】データ処理部の構成を示す図である。
【図４】第１の１ｘ間欠受信モードを示す図である。
【図５】第２の１ｘ間欠受信モードを示す図である。
【図６】第１の１ｘ間欠受信モードを示す図である。
【図７】第２の１ｘ間欠受信モードを示す図である。
【図８】無線通信装置の動作を示すフローチャートである。
【図９】指定画面の一例を示す図である。
【図１０】無線通信装置の動作を示すフローチャートである。
【図１１】選択画面の一例を示す図である。
【発明を実施するための形態】
【００１８】
図１は実施の形態に係る無線通信装置１を備える無線通信システム１００の構成を示す図である。本実施の形態に係る無線通信装置１は、例えば、スマートフォン等の携帯電話機である。図１に示されるように、無線通信装置１は基地局２と無線通信を行う。基地局２は、インターネット等のネットワーク３に接続されている。無線通信装置１は、ネットワーク３に接続されているサーバ装置４等と、基地局２及びネットワーク３を通じて通信することが可能である。
【００１９】
無線通信装置１は、複数種類の無線通信方式に応じた通信を行うことが可能である。無線通信装置１は、例えばＳＲＬＴＥ（Single Radio Long Term Evolution）に対応しており、ＬＴＥに応じた通信と、ＣＤＭＡ（Code Division Multiple Access）２０００ １ｘに応じた通信とを行うことができる。以後、ＣＤＭＡ２０００ １ｘを単に「１ｘ」と呼ぶことがある。また、ＬＴＥに応じた通信を「ＬＴＥ通信」と呼び、１ｘに応じた通信を「１ｘ通信」と呼ぶことがある。
【００２０】
なお、図１では基地局２が１つだけしか示されていないが、基地局２としては、ＬＴＥ通信と１ｘ通信の両方が可能な基地局２と、ＬＴＥ通信のみ可能な基地局２と、１ｘ通信のみ可能な基地局２とが存在する。無線通信装置１は、これらの３種類の基地局２と通信可能である。
【００２１】
図２は無線通信装置１の構成を示す図である。図２に示されるように、無線通信装置１は、制御部１０と、無線通信部１１と、タッチパネル１２と、表示部１３と、マイク１４と、スピーカ１５とを備えている。
【００２２】
制御部１０は、無線通信装置１での他の構成要素を制御して、無線通信装置１の動作を統括的に管理する。制御部１０は、一種のデジタル処理回路であり、ＣＰＵ（Central Processing Unit）、ＤＳＰ（Digital Signal Processor）、記憶部及び各種デジタル回路を備えている。制御部１０の記憶部は、ＲＯＭ(Read-Only-Memory)及びＲＡＭ(Random-Access-Memory)等で構成されている。制御部１０の各種機能は、ＣＰＵ及びＤＳＰが記憶部内の各種プログラムを実行することによって実現される。
【００２３】
無線通信部１１は複数のアンテナを有している。本実施の形態では、無線通信部１１は、例えば２つのアンテナ１１０ａ，１１０ｂを有している。無線通信部１１は、アンテナ１１０ａ，１１０ｂを用いて、基地局２と無線通信を行う。本実施の形態では、無線通信装置１が受信処理を行う際には２つのアンテナ１１０ａ，１１０ｂが使用される。一方で、無線通信装置１が送信処理を行う際には２つのアンテナ１１０ａ，１１０ｂの一方が使用される。
【００２４】
無線通信部１１は、複数のアンテナ１１０ａ，１１０ｂでそれぞれ受信された複数の受信信号に対して増幅処理及びダウンコンバート等を行って、アナログ形式の複数のベースバンド受信信号を生成する。そして、無線通信部１１は、生成した複数のアナログ形式のベースバンド受信信号をデジタル形式の複数のベースバンド受信信号にそれぞれ変換して制御部１０に出力する。制御部１０は、入力される複数のデジタル形式のベースバンド受信信号のそれぞれに対して各種デジタル信号処理を行って、当該ベースバンド受信信号に含まれる、ユーザデータ及び制御データ等を取得する。
【００２５】
また無線通信部１１は、制御部１０で生成された、ユーザデータ及び制御データ等を含む、デジタル形式のベースバンド送信信号をアナログ形式のベースバンド送信信号に変換する。そして、無線通信部１１は、生成したアナログ形式のベースバンド送信信号に対してアップコンバート及び増幅処理等を行って、搬送帯域の送信信号を生成する。そして、無線通信部１１は、生成した搬送帯域の送信信号をアンテナ１１０ａ，１１０ｂの一方から無線送信する。以後、アンテナ１１０ａ，１１０ｂを特に区別する必要がない場合には、それぞれを「アンテナ１１０」と呼ぶ。
【００２６】
表示部１３は、例えば、液晶表示部あるいは有機ＥＬパネルを有している。表示部１３は、制御部１０によって制御されることによって、文字、記号、図形などの各種情報を表示する。タッチパネル１２は、例えば、投影型静電容量方式のタッチパネルである。タッチパネル１２は、表示部１３の表示面に対する指等の操作子による操作を検出する。ユーザが指等の操作子によって表示部１３の表示面に対して操作を行ったとき、その操作に応じた電気信号がタッチパネル１２から制御部１０に入力される。制御部１０は、タッチパネル１２からの電気信号に基づいて、表示部１３の表示面に対して行われた操作の内容を特定して、その内容に応じた処理を行う。
【００２７】
マイク１４は、無線通信装置１の外部から入力される音を電気的な音信号に変換して制御部１０に出力する。スピーカ１５は、制御部１０からの電気的な音信号を音に変換して、無線通信装置１の外部に出力する。
【００２８】
図３は制御部１０が有するデータ処理部２０の構成を示す図である。データ処理部２０は、アンテナ１１０で受信される受信信号に含まれるデータを取得する処理と、アンテナ１１０から送信する、データを含む送信信号を生成する処理とを行う。データ処理部２０は、２つの受信処理部２１ａ，２１ｂと１つの送信処理部２２とを備えている。
【００２９】
上述のように、無線通信部１１は、アンテナ１１０ａで受信される受信信号を、デジタル形式のベースバンド受信信号に変換する。このベースバンド受信信号を「受信信号３０ａ」と呼ぶ。また、無線通信部１１は、アンテナ１１０ｂで受信される受信信号を、デジタル形式のベースバンド受信信号に変換してする。このベースバンド受信信号を「受信信号３０ｂ」と呼ぶ。
【００３０】
受信処理部２１ａは、アンテナ１１０ａで受信される受信信号に含まれるデータを取得する。具体的には、受信処理部２１ａは、無線通信部１１から出力される受信信号３０ａに対して、復調処理等の各種デジタル信号処理を行って、当該受信信号３０ａに含まれるデータを取得する。
【００３１】
受信処理部２１ｂは、アンテナ１１０ｂで受信される受信信号に含まれるデータを取得する。具体的には、受信処理部２１ｂは、無線通信部１１から出力される受信信号３０ｂに対して、復調処理等の各種デジタル信号処理を行って、当該受信信号３０ｂに含まれるデータを取得する。
【００３２】
送信処理部２２は、変調処理等の各種デジタル信号処理を使用して、データを含むベースバンド送信信号を生成して、無線通信部１１に出力する。
【００３３】
以後、受信処理部２１ａ，２１ｂを特に区別する必要が無い場合には、それぞれを「受信処理部２１」と呼ぶ。また受信信号３０ａ，３０ｂを特に区別する必要が無い場合には、それぞれを「受信信号３０」と呼ぶ。
【００３４】
各受信処理部２１は、アンテナ１１０で受信される受信信号に含まれる、ＬＴＥで送信されるデータを取得する処理と、当該受信信号に含まれる、１ｘで送信されるデータを取得する処理と実行することが可能である。前者の処理を「ＬＴＥ受信処理」と呼び、後者の処理を「１ｘ受信処理」と呼ぶ。また、ＬＴＥで送信されるデータを「ＬＴＥデータ」と呼び、１ｘで送信されるデータを「１ｘデータ」と呼ぶ。
【００３５】
ＬＴＥ受信処理において、受信処理部２１は、入力される受信信号３０に対して、ＬＴＥに応じたデジタル信号処理を行って、当該受信信号３０に含まれるＬＴＥデータを取得する。ＬＴＥデータを含む受信信号３０は、ＯＦＤＭ（Orthogonal Frequency Division Multiplexing）信号であることから、ＬＴＥ受信処理では、受信信号３０に対して離散フーリエ変換（DFT：Discrete Fourier Transform）等が行われる。
【００３６】
また、１ｘ受信処理において、受信処理部２１は、入力される受信信号３０に対して、１ｘに応じたデジタル信号処理を行って、当該受信信号３０に含まれる１ｘデータを取得する。１ｘデータを含む受信信号３０は、スペクトラム拡散されていることから、１ｘ受信処理では、受信信号３０に対して拡散符号の乗算（逆拡散処理）等が行われる。
【００３７】
本実施の形態では、ＬＴＥ受信処理は、アンテナ１１０で受信される受信信号に含まれるＬＴＥデータを取得しようとする処理である。つまり、ＬＴＥ受信処理は、受信信号３０に含まれるＬＴＥデータを取得するために、当該受信信号３０に対してＬＴＥに応じた、復調処理等を含むデジタル受信処理を行う処理である。したがって、無線通信装置１とＬＴＥ通信可能な基地局２との間の伝送路の状況が悪い場合、あるいは無線通信装置１がＬＴＥ通信の圏外に存在する場合などにおいては、ＬＴＥ受信処理が行われたとしても、ＬＴＥデータが取得できないことがある。
【００３８】
同様に、１ｘ受信処理は、アンテナ１１０で受信される受信信号に含まれる１ｘデータを取得しようとする処理である。つまり、１ｘ受信処理は、受信信号３０に含まれる１ｘデータを取得するために、当該受信信号３０に対して１ｘに応じたデジタル受信処理を行う処理である。したがって、無線通信装置１と１ｘ通信可能な基地局２との間の伝送路の状況が悪い場合、あるいは無線通信装置１が１ｘ通信の圏外に存在する場合などにおいては、１ｘ受信処理が行われたとしても、１ｘデータが取得できないことがある。
【００３９】
送信処理部２２は、無線通信装置１がＬＴＥに応じた送信を行う際には、逆離散フーリエ変換（IDFT：Inverse DFT）等を使用して、ＬＴＥに応じた送信信号（ＯＦＤＭ信号）を生成して無線通信部１１に出力する。また、送信処理部２２は、無線通信装置１が１ｘに応じた送信を行う際には、１ｘに応じた送信信号（スペクトラム拡散された信号）を生成して無線通信部１１に出力する。
【００４０】
以上のような構成を有する無線通信装置１は、データ通信及び音声通信を行う。具体的には、無線通信装置１は、基地局２及びネットワーク３を通じて、ネットワーク３に接続されたサーバ装置４等とデータ通信を行う。また、無線通信装置１は、基地局２及びネットワーク３を通じて、他の携帯電話機とデータ通信を行う。さらに、無線通信装置１は、基地局２及びネットワーク３を通じて、他の携帯電話機と、マイク１４及びスピーカ１５等を利用して音声通信を行う。本実施の形態に係る無線通信システム１００では、データ通信では、ＬＴＥ及び１ｘの両方が使用可能である。一方で、音声通信では、ＬＴＥ及び１ｘのうち１ｘだけが使用可能である。無線通信装置１は、基地局２がＭＩＭＯ（Multi-Input Multi-Output）方式を用いて信号を送信する場合には、当該基地局２からの信号を、２つのアンテナ１１０ａ，１１０ｂを使用して受信する。また、無線通信装置１は、データ通信を行う際に、ＬＴＥ通信及び１ｘ通信の両方の圏内に存在する場合には、１ｘよりもＬＴＥを優先的に使用して通信を行う。
【００４１】
＜無線通信装置の受信処理について＞
本実施の形態では、無線通信装置１は、音声通信を行っていない場合であって、２つのアンテナ１１０ａ，１１０ｂを使用してＬＴＥに応じた受信を行う場合には、音声通話での他の携帯電話機からの呼び出しを通知するための着呼通知を受信するために、一方のアンテナ１１０を使用して間欠的に１ｘに応じた受信を行う。具体的には、無線通信装置１のデータ処理部２０では、受信処理部２１ａ，２１ｂがＬＴＥ受信処理を行っている場合に、一方の受信処理部２１は、間欠的に、ＬＴＥ受信処理の代わりに１ｘ受信処理を行う。本実施の形態では、受信処理部２１ｂが、間欠的に、ＬＴＥ受信処理の代わりに１ｘ受信処理を行う。したがって、無線通信装置１が２つのアンテナ１１０ａ，１１０ｂを使用してＬＴＥに応じた受信を行っている場合には、受信処理部２１ｂに対応するアンテナ１１０ｂは、ＬＴＥに応じた受信と１ｘに応じた受信とで共用される。なお、受信処理部２１ａが、間欠的に、ＬＴＥ受信処理の代わりに１ｘ受信処理を行っても良い。以後、受信処理部２１ａ，２１ｂがＬＴＥ受信処理を行っている場合に、受信処理部２１ｂが、間欠的に、ＬＴＥ受信処理の代わりに１ｘ受信処理を行うデータ処理部２０の動作モードを「１ｘ間欠受信モード」と呼ぶ。無線通信装置１では、当該無線通信装置１が１ｘ通信の圏内に存在する場合であっても、圏外に存在する場合であっても、データ処理部２０は、１ｘ間欠受信モードで動作する。
【００４２】
また、本実施の形態では、１ｘ間欠受信モードとして、第１の１ｘ間欠受信モードと、第２の１ｘ間欠受信モードの２種類の動作モードが存在する。第２の１ｘ間欠受信モードでは、受信処理部２１ｂにおいて１ｘ受信処理が間欠的に実行される周期が第１の１ｘ間欠受信モードよりも長くなっている。本実施の形態では、データ処理部２０は、１ｘ間欠受信モードで動作する場合には、原則、第１の１ｘ間欠受信モードで動作する。そして、データ処理部２０は、受信信号３０に含まれる、ＬＴＥで送信される所定の種類のデータを取得する際には、例外的に、第２の１ｘ間欠受信モードで動作する。以後、この所定の種類のデータを「特定データ」と呼ぶ。特定データとしては、例えば、再送制御されないデータが挙げられる。
【００４３】
図４は無線通信装置１が１ｘ通信の圏内に存在する場合での第１の１ｘ間欠受信モードを示す図である。図５は無線通信装置１が１ｘ通信の圏内に存在する場合での第２の１ｘ間欠受信モードを示す図である。図４，５及び後述の図６，７において、「ＬＴＥ」が示される期間はＬＴＥ受信処理が行われている期間を示し、「１ｘ」が示される期間は１ｘ受信処理が行われている期間を示す。
【００４４】
図４，５に示されるように、１ｘ間欠受信モードで動作するデータ処理部２０では、受信処理部２１ａは常にＬＴＥ受信処理を行い、受信処理部２１ｂは、間欠的に、ＬＴＥ受信処理の代わりに１ｘ受信処理を行う。つまり、受信処理部２１ｂは、ＬＴＥ受信処理と１ｘ受信処理とを交互に行う。受信処理部２１ｂが、１ｘ受信処理において、アンテナ１１０ｂでの受信信号に含まれる、着呼通知を示すデータを取得すると、制御部１０が表示部１３等を制御することによって、他の携帯電話機からの呼び出しがある旨がユーザに通知される。ユーザが、表示部１３の表示面を操作して、他の携帯電話機からの呼び出しに応答する応答操作を行うと、無線通信装置１は、ＬＴＥに応じた受信を終了し（データ処理部２０では１ｘ間欠受信モードが終了する）、２つのアンテナ１１１０ａ，１１０ｂを用いて１ｘ通信（音声通信）を行う。
【００４５】
着呼通知を示すデータ（以後、「着呼通知データ」と呼ぶ）は、１ｘ通信が可能な基地局２から、一斉呼び出しチャネルで送信される。基地局２は、一斉呼び出しチャネルのデータを周期的に送信する。無線通信装置１が１ｘ通信の圏内に存在する場合には、無線通信装置１は、１ｘ通信可能な基地局２と同期がとれていることから、当該基地局２での一斉呼び出しチャネルのデータの送信周期を把握している。１ｘ間欠受信モードのデータ処理部２０は、無線通信装置１が通信可能な、１ｘ通信可能な基地局２での一斉呼び出しチャネルのデータの送信周期に応じて、間欠的に１ｘ受信処理を行う。
【００４６】
データ処理部２０は、受信信号３０に含まれる、ＬＴＥで送信される特定データを取得する際には、図５に示される第２の１ｘ間欠受信モードで動作する。一方で、データ処理部２０は、受信信号３０に含まれる、ＬＴＥで送信される特定データ以外のＬＴＥデータを取得する際には、図４に示される第１の１ｘ間欠受信モードで動作する。図４，５に示されるように、第２の１ｘ間欠受信モードにおいて、受信処理部２１ｂが１ｘ受信処理を間欠的に実行する実行間隔（実行周期）Ｔ２は、第１の１ｘ間欠受信モードにおいて、受信処理部２１ｂが１ｘ受信処理を間欠的に実行する実行間隔（実行周期）Ｔ１よりも長くなっている。図４，５の例では、実行間隔Ｔ２は実行間隔Ｔ１の２倍となっている。また、第１の１ｘ間欠受信モードでは、１ｘ受信処理の実行期間Ｓ１は一定であり、ＬＴＥ受信処理の実行期間Ｒ１は一定である。第２の１ｘ間欠受信モードでは、１ｘ受信処理の実行期間Ｓ２は一定であり、ＬＴＥ受信処理の実行期間Ｒ２は一定である。そして、実行期間Ｓ１と実行期間Ｓ２とは同じである。よって、実行間隔Ｔ２が実行間隔Ｔ１よりも長くなることによって、実行期間Ｒ２は実行期間Ｒ１よりも長くなる。
【００４７】
図６は、無線通信装置１が１ｘ通信の圏外に存在する場合の第１の１ｘ間欠受信モードを示す図である。図７は、無線通信装置１が１ｘ通信の圏外に存在する場合の第２の１ｘ間欠受信モードを示す図である。無線通信装置１が１ｘ通信の圏外に存在する場合には、無線通信装置１は、１ｘ通信可能な基地局２と同期がとれていない。したがって、無線通信装置１は、一斉呼び出しチャネルのデータの送信周期を把握していない。このため、無線通信装置１が１ｘ通信の圏外に存在する場合には、１ｘ間欠受信モードでの１ｘ受信処理の実行間隔は、無線通信装置１が１ｘ通信の圏内に存在する場合よりも短くなっている。
【００４８】
図４と図６を比較すると、第１の１ｘ間欠受信モードでは、無線通信装置１が１ｘ通信の圏外に存在する場合での１ｘ受信処理の実行間隔Ｔ１１が、無線通信装置１が１ｘ通信の圏内に存在する場合での１ｘ受信処理の実行間隔Ｔ１よりも短くなっている。また、図５，７を比較すると、第２の１ｘ間欠受信モードでは、無線通信装置１が１ｘ通信の圏外に存在する場合での１ｘ受信処理の実行間隔Ｔ１２が、無線通信装置１が１ｘ通信の圏内に存在する場合での１ｘ受信処理の実行間隔Ｔ２よりも短くなっている。図６，７の例では、実行間隔Ｔ１２は実行間隔Ｔ１１の２倍となっている。無線通信装置１が１ｘ通信の圏外に存在する場合においても、第１の１ｘ間欠受信モードでの１ｘ受信処理の実行期間と、第２の１ｘ間欠受信モードでの１ｘ受信処理の実行期間とは同じである。
【００４９】
このように、１ｘ間欠受信モードでは、受信処理部２１ａは常にＬＴＥ受信処理を行っているものの、受信処理部２１ｂは、着呼通知を受信するために、間欠的に、ＬＴＥ受信処理の代わりに１ｘ受信処理を行っている。受信処理部２１ｂは、１ｘ受信処理を行っている場合には、ＬＴＥデータを取得することはできない。したがって、１ｘ間欠受信モードで動作するデータ処理部２０では、基地局２からのＬＴＥデータの一部を取得できないことがある。
【００５０】
本実施の形態では、データ処理部２０は、１ｘ受信処理の実行間隔が第１の１ｘ間欠受信モードよりも長い第２の１ｘ間欠受信モードを備えている。したがって、データ処理部２０は、必要に応じて、第２の１ｘ間欠受信モードで動作することによって、基地局２からのＬＴＥデータの一部を取得できないことを抑制することができる。つまり、データ処理部２０は、アンテナ１１０ｂでの受信信号に含まれるＬＴＥデータを適切に取得することができる。
【００５１】
＜特定データの受信処理＞
特定データとして採用される、再生制御されないデータとしては、例えば、ＵＤＰ（User Datagram Protocol）が使用されて送信されるストリーミングデータがある。ＵＤＰで送信されるストリーミングデータは再生制御されないことから、無線通信装置１が当該ストリーミングデータの一部のデータを適切に受信できなかったとしても、その一部のデータは無線通信装置１に再送されない。以下に、ネットワーク３に接続されたサーバ装置４がＵＤＰで送信するストリーミングデータを無線通信装置１が受信する際の当該無線通信装置１の動作について説明する。図８は当該動作を示すフローチャートである。無線通信装置１はＲＴＳＰ（Real Time Streaming Protocol）を用いてサーバ装置４と通信する。
【００５２】
図８に示されるように、ステップｓ１において、無線通信装置１は、ＵＲＬ（Uniform Resource Locator）の入力操作など、サーバ装置４が記憶するストリーミングデータに対するアクセスを指示するアクセス指示操作をタッチパネル１２が検出すると、無線通信装置１は、ストリームデータの転送開始を要求する転送開始要求信号をサーバ装置４に送信する。この転送開始要求信号は、ＲＴＳＰでは「ＰＬＡＹメソッド」と呼ばれる。
【００５３】
その後、ステップｓ３において、無線通信装置１は、サーバ装置４から応答信号を受信すると、ステップｓ４において、サーバ装置４に対して、ストリーミングデータの転送の開始を指示する転送開始指示信号を送信する。転送指示開始信号を受信したサーバ装置４は、ＵＤＰを使用してストリーミングデータを送信する。サーバ装置４が送信するストリーミングデータは、基地局２を通じて無線通信装置１に送信される。
【００５４】
無線通信装置１は、ステップｓ５において、アンテナ１１０ａ，１１０ｂを用いて、基地局２から無線送信されるストリーミングデータを受信する。このとき、データ処理部２０は、第２の１ｘ間欠受信モードで動作し、受信信号に含まれる、ストリーミングデータを取得する。無線通信装置１は、受信するストリーミングデータを再生して、例えば表示部１３に表示する。
【００５５】
無線通信装置１は、サーバ装置４との間の通信を終了する際には、ステップｓ６において、サーバ装置４に対して、当該通信の終了を要求する終了要求信号を送信する。この終了要求信号は、ＲＴＳＰでは「ＴＥＡＲＤＯＷＮメソッド」と呼ばれる。その後、ステップｓ７において、無線通信装置１は、サーバ装置４から応答信号を受信する。
【００５６】
このように、データ処理部２０は、受信信号に含まれる、再送制御されないＬＴＥデータを取得する際に、第２の１ｘ間欠受信モードで動作する。再送制御されないＬＴＥデータは、無線通信装置１において適切に取得されない場合であっても再送されないことから、受信処理部２１ｂは、１ｘ受信処理を行う期間にアンテナ１１０ｂで受信されるＬＴＥデータを取得することができない。本実施の形態では、データ処理部２０が、１ｘ受信処理の実行間隔が長い第２の１ｘ間欠受信モードで動作するため、再送制御されないＬＴＥデータの取りこぼしを抑制することができる。
【００５７】
なお、上記の例では、特定データとして、再送制御されないデータが採用されているが、他の種類のデータが採用されてもよい。例えば、データ量がしきい値以上あるいはしきい値よりも大きいファイル（データ）であってもよい。ファイルに対して再送制御が行われる場合には、無線通信装置１が、データ量が大きいファイルを受信するときに、データ処理部２０が１ｘ受信処理の実行間隔が長い第２の１ｘ間欠受信モードで動作することによって、当該ファイルの取得（ダウンロード）にかかる時間を短縮することができる。
【００５８】
また、特定データは、ユーザによって指定されてもよい。ユーザは、例えば、表示部１３の表示面に表示される所定の画面を利用して、特定データを指定することができる。図９は、ユーザが特定データを指定するための指定画面２００の一例を示す図である。図９の例では、ユーザは、指定画面２００を利用して、特定データとして、ストリーミングデータ、データ量がしきい値以上あるいはしきい値よりも大きいファイル等を指定することができる。ユーザは、指定画面２００中の選択ボタン２０１を指等で選択することによって、特定データを指定することができる。図９の例では、特定データとして、ストリーミングデータが指定されている。
【００５９】
また、データ処理部２０は、ユーザによって選択される動作モードで動作しても良い。図１０はこの場合の無線通信装置１の動作を示すフローチャートである。図１０は、図８と同様に、サーバ装置４がＵＤＰで送信するストリーミングデータを無線通信装置１が受信する際の当該無線通信装置１の動作が示されている。
【００６０】
図１０に示されるように、無線通信装置１では、上述のステップｓ１〜ｓ３が実行される。無線通信装置１は、ステップｓ３において、応答信号を受信すると、ステップｓ１１において、ユーザがデータ処理部２０の動作モードを選択するための選択画面３００を表示する。図１１は、表示部１３の表示面に表示される選択画面３００の一例を示す図である。図１１に示される選択画面３００には、２つのボタン３０１，３０２が含まれている。ボタン３０１が選択されると、第２の１ｘ間欠受信モードが選択され、ボタン３０２が選択されると、第１の１ｘ間欠受信モードが選択される。
【００６１】
ステップｓ１２において、ユーザが、選択画面３００に含まれるボタン３０１を指等で選択する操作をタッチパネル１２が検出すると、制御部１０は、ステップｓ１３において、データ処理部２０の動作モードを第２の１ｘ間欠受信モードに決定する。一方で、ユーザが、選択画面３００に含まれるボタン３０２を指等で選択する操作をタッチパネル１２が検出すると、制御部１０は、ステップｓ１４において、データ処理部２０の動作モードを第１の１ｘ間欠受信モードに決定する。
【００６２】
ステップｓ１３，ｓ１４が実行されると、無線通信装置１では上述のステップｓ４が実行される。その後、ステップｓ５において、無線通信装置１は、サーバ装置４から送信されるストリームデータを受信する。このとき、データ処理部２０は、ステップｓ１２においてユーザによって選択された動作モードで動作する。無線通信装置１では、ステップｓ５の後、上述のステップｓ６，ｓ７が実行される。
【００６３】
なお上記の例では、データ処理部２０が、受信信号に含まれる特定データを取得する際に、選択画面３００が表示部１３に表示されていたが、データ処理部２０が取得するデータの種類にかかわらず、選択画面３００が表示部１３に表示されてもよい。例えば、無線通信装置１がＬＴＥ通信を行っているか否かにかかわらず、ユーザが表示部１３の表示面に対して所定の操作を行うと、選択画面３００が表示部１３に表示されても良い。
【００６４】
また、データ処理部２０は、第２の１ｘ間欠受信モードの代わりに、受信処理部２１ａ，２１ｂのそれぞれにおいて１ｘ受信処理が実行されないＬＴＥ受信モードを備えても良い。ＬＴＥ受信モードでは、受信処理部２１ａ，２１ｂのそれぞれが、ＬＴＥ受信処理及び１ｘ受信処理のうちＬＴＥ受信処理のみを行う。データ処理部２０が、第２の１ｘ間欠受信モードの代わりにＬＴＥ受信モードを備える場合には、上述のステップｓ５では、データ処理部２０は、ＬＴＥ受信モードで動作し、受信信号に含まれる、ストリーミングデータを取得する。また上述のステップｓ１２において、ユーザが、選択画面３００に含まれるボタン３０１を指等で選択する操作をタッチパネル１２が検出すると、制御部１０は、ステップｓ１３において、データ処理部２０の動作モードをＬＴＥ受信モードに決定する。
【００６５】
また、データ処理部２０は、第１及び第２の１ｘ間欠受信モードに加えて、ＬＴＥ受信モードを備えても良い。この場合には、ユーザが、選択画面３００を利用して、第１及び第２の１ｘ間欠受信モード及びＬＴＥ受信モードの中から、データ処理部２０の動作モードを選択できるようにしても良い。ユーザが、選択画面３００を利用して、データ処理部２０の動作モードとしてＬＴＥ受信モードを選択したときには、表示部１３は、ＬＴＥ受信モード中では着呼通知を受信できない旨を表示した上で、ＬＴＥ受信モードで動作しても良いかどうかをユーザに問い合わせる画面を表示しても良い。ユーザは、当該画面を利用して、ＬＴＥ受信モードで動作すること、あるいはＬＴＥ受信モードで動作しないことを無線通信装置１に通知することができる。
【００６６】
また、制御部１０は、特定データの種類に応じて、データ処理部２０が、第２の１ｘ間欠受信モードで動作するか、ＬＴＥ受信モードで動作するかを決定しても良い。例えば、制御部１０は、受信信号３０に含まれる、再生制御されないデータを取得する際には、データ処理部２０の動作モードをＬＴＥ動作モードに設定する。そして、制御部１０は、受信信号３０に含まれる、データ量が大きいファイルを取得する際には、データ処理部２０の動作モードを第２の１ｘ間欠受信モードに設定する。
【００６７】
なお、データ処理部２０は、ＬＴＥ受信モードで動作している間は、１ｘ通信が可能な基地局２が送信する着呼通知データを取得することができない。一方で、１ｘ通信が可能な基地局２は、送信した着呼通知データに対する応答信号を受信できないときには、不在着信を示すデータ（以後、「不在着信データ」と呼ぶ）を送信する。基地局２は、不在着新データに対する応答信号を受信するまで、当該不在着信データを繰り返し送信する。したがって、データ処理部２０がＬＴＥ受信モードで動作している際に、基地局２が着呼通知データを無線通信装置１に送信した場合には、データ処理部２０の動作モードがＬＴＥ受信モードから１ｘ間欠受信モードに変化したとき、データ処理部２０は、受信信号３０に含まれる不在着信データを取得する。データ処理部２０が、受信信号３０に含まれる不在着信データを受信したときには、無線通信装置１は不在着信を示す図形を表示部１３に表示させても良い。以後、この図形を「第１の不在着信図形」と呼ぶ。
【００６８】
また上述のように、１ｘ間欠受信モードで動作するデータ処理部２０が、受信信号に含まれる着呼通知データを取得したときには、制御部１０が表示部１３等を制御することによって、他の携帯電話機からの呼び出しがある旨がユーザに通知される。そして、ユーザが、この通知に対して応答する操作を表示部１３の表示面に対して行わない場合には、表示部１３は、不在着信を示す図形を表示する。以後、この図形を「第２の不在着信図形」と呼ぶ。表示部１３は、第２の不在着信図形とは異なる表示態様で、上記の第１の不在着信図形を表示しても良い。例えば、表示部１３は、第２の不在着信図形とは異なる図形を第１の不在着信図形として表示しても良い。
【００６９】
また上記の例では、受信処理部２１ｂは、着呼通知を示すデータを受信するために、間欠的に１ｘ受信処理を実行していたが、他の種類のデータを受信するために、間欠的に１ｘ受信処理を実行してもよい。
【００７０】
また、無線通信装置１は、ＬＴＥ通信の代わりに、他の無線通信方式に応じた通信を行っても良い。無線通信装置１は、ＬＴＥ通信の代わりに、例えば、ＷｉＦｉ（Wireless Fidelity）あるいはＷｉＭＡＸ（Worldwide Interoperability for Microwave Access）に応じた通信を行っても良い。また無線通信装置１は、１ｘ通信の代わりに、他の無線通信方式に応じた通信を行っても良い。無線通信装置１は、１ｘ通信の代わりに、例えば、Ｗ−ＣＤＭＡ (Wideband Code Division Multiple Access)に応じた通信を行っても良い。
【００７１】
以上のように、無線通信装置１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００７２】
１  無線通信装置
１３  表示部
２０  データ処理部
１１０  アンテナ
【図１】
2016123037.tif 000003
【図２】
2016123037.tif 000004
【図３】
2016123037.tif 000005
【図４】
2016123037.tif 000006
【図５】
2016123037.tif 000007
【図６】
2016123037.tif 000008
【図７】
2016123037.tif 000009
【図８】
2016123037.tif 000010
【図９】
2016123037.tif 000011
【図１０】
2016123037.tif 000012
【図１１】
2016123037.tif 000013